(57)【要約】      （修正有）【課題】摩擦抵抗を小さくして、より容易かつ円滑に回転させることができる回転式墓誌を提供する。【解決手段】軸材１１が、下端部で敷石に固定されて上方に伸びて設置されている。墓誌本体１２が、円柱状で、下部に軸材１１の突出する高さより短い深さの軸穴２１を有している。墓誌本体１２は、軸穴２１の底部２１ａに、下方に向かって曲面状に突出した凸部２２を有している。軸材１１は、上端面１１ｂが軸穴２１の底部２１ａの凸部２２に当たるよう軸穴２１に挿入されている。墓誌本体１２は、軸材１１の上端面１１ｂで支持されて軸材１１の周りで回転可能である。【選択図】図１
0003146601.tif 000002
【実用新案登録請求の範囲】
【請求項１】
支持台と軸材と墓誌本体とを有し、
前記軸材は前記支持台に鉛直方向に立てて取り付けられ、
前記墓誌本体は下部に軸穴を有し、前記軸穴に挿入された前記軸材の上端で軸材周りに回転可能に支持されていることを、
特徴とする回転式墓誌。
【請求項２】
前記軸穴の底部または前記軸材の上端に円錐状、角錐状または曲面状に突出する凸部を有することを、特徴とする請求項１記載の回転式墓誌。
【考案の詳細な説明】
【技術分野】
【０００１】
本考案は、回転式墓誌に関する。
【背景技術】
【０００２】
従来の一般的な墓誌は、石板の表側および裏側に、亡くなった人の氏名や戒名、事跡、経歴、没年月日等を記載してある。しかし、近年、特に地価が高い都市部においては、このような板状の墓誌を建てることができるスペースを有する墓地が少なくなっている。
【０００３】
この問題を解決するため、墓誌本体を板状のものよりも設置スペースが小さくて足りる柱状形に形成し、その長さ方向に沿った軸を中心として回転可能に立てて設置される墓誌が提案されている（例えば、特許文献１参照）。この墓誌は、設置スペースを小さくするとともに、軸を中心として回転させることにより、側面に記載された戒名等を正面から見ることができるようになっている。
【０００４】
【特許文献１】登録実用新案第３０２３７９８号公報
【考案の開示】
【考案が解決しようとする課題】
【０００５】
しかしながら、特許文献１記載の墓誌では、墓誌本体を回転させるとき、墓誌本体の下面側の円板形フランジ部とワッシャ、台石の上面側の円板形フランジ部とワッシャとが接触した状態で互いに相対運動するため、摩擦抵抗が大きく、回転させるのに力が必要で、回転させにくいという課題があった。
【０００６】
本考案は、このような課題に着目してなされたもので、摩擦抵抗を小さくして、より容易かつ円滑に回転させることができる回転式墓誌を提供することを目的とする。
【課題を解決するための手段】
【０００７】
上記目的を達成するために、本考案に係る回転式墓誌は、支持台と軸材と墓誌本体とを有し、前記軸材は前記支持台に鉛直方向に立てて取り付けられ、前記墓誌本体は下部に軸穴を有し、前記軸穴に挿入された前記軸材の上端で軸材周りに回転可能に支持されていることを、特徴とする。
【０００８】
本考案に係る回転式墓誌は、墓誌本体の側面に、亡くなった人の氏名や戒名、事跡、経歴、没年月日等を記載して使用される。墓誌本体は軸穴の底部で軸材の上端により支持されているため、軸材周りに墓誌本体を回転させるときの摩擦抵抗が小さい。このため、容易かつ円滑に墓誌本体を回転させることができる。
【０００９】
墓誌本体は軸材の上端により支持されるため、墓誌本体の下部と支持台との間に隙間ができる。これにより、墓誌本体を回転させるとき、墓誌本体と固定部とがぶつかって破損するのを防ぐことができる。墓誌本体を回転させることにより、墓誌本体の周囲にある戒名等を正面側から見やすくすることができる。
【００１０】
本考案に係る回転式墓誌は、墓誌本体の軸穴の側部内壁と軸材の側面とが接しないよう、軸材の上端でバランスをとって墓誌本体を支持していることが好ましい。この場合、墓誌本体の回転により、軸材と墓誌本体とが擦れて破損するのを防ぐことができる。
【００１１】
本考案に係る回転式墓誌は、前記軸穴の底部または前記軸材の上端に円錐状、角錐状または曲面状に突出する凸部を有することが好ましい。この場合、軸材と墓誌本体との接触面積をより小さくすることができるため、墓誌本体を回転させるときの摩擦抵抗をより小さくすることができる。このため、より容易かつ円滑に墓誌本体を回転させることができる。
【考案の効果】
【００１２】
本考案によれば、摩擦抵抗を小さくして、より容易かつ円滑に回転させることができる回転式墓誌を提供することができる。
【考案を実施するための最良の形態】
【００１３】
以下、図面に基づき本考案の実施の形態について説明する。
図１乃至図３は、本考案の実施の形態の回転式墓誌を示している。
図１に示すように、回転式墓誌１０は、軸材１１と墓誌本体１２とを有している。
【００１４】
図１に示すように、軸材１１は、細長いステンレス製の丸棒から成っている。図１（ａ）に示すように、軸材１１は、敷石１の上で上方に鉛直方向に伸び、立てて取り付けられている。軸材１１は、墓地の敷石１に設けられた孔２に下端部１１ａを挿入して固定されている。敷石１は、軸材１１の支持台となっている。軸材１１は、上端面１１ｂが平坦を成している。
【００１５】
図１に示すように、墓誌本体１２は、石製で、円柱状を成している。墓誌本体１２は、下部１２ａに、長さ方向に沿って伸びた軸穴２１を有している。軸穴２１は、墓誌本体１２の中心線上に位置している。軸穴２１の深さは、軸材１１の敷石１から突出する高さより短く、断面が軸材１１の径より大きい径の円形状を成している。図１（ｂ）に示すように、墓誌本体１２は、軸穴２１の底部２１ａに凸部２２を有している。凸部２２は、半球状の石製の部材から成り、球面２２ａ側を下方に向け、球面２２ａの反対側の平坦面２２ｂで軸穴２１の底部２１ａに貼り付けられている。これにより、凸部２２は、軸穴２１の下方に向かって曲面状に突出している。なお、凸部２２を軸穴２１の底部２１ａに貼り付ける代わりに、軸材１１の上端面１１ｂに貼り付けてもよい。また、凸部２２は、底部２１ａまたは上端面１１ｂと一体的に設けられてもよい。
【００１６】
墓誌本体１２は、軸材１１の上端面１１ｂが軸穴２１の底部２１ａの凸部２２に当たるよう、軸材１１が軸穴２１に挿入されている。このとき、軸穴２１の深さが軸材１１の敷石１から突出する高さより短いため、墓誌本体１２の下部１２ａと敷石１との間に隙間ができている。墓誌本体１２は、軸材１１の上端面１１ｂで支持されて、軸材１１の周りに回転可能になっている。墓誌本体１２は、軸穴２１の側部内壁２１ｂと軸材１１の側面１１ｃとが接しないよう、軸材１１の上端面１１ｂでバランスをとって支持されている。
【００１７】
次に、作用について説明する。
回転式墓誌１０は、墓誌本体１２の側面１２ｂに、亡くなった人の氏名や戒名、事跡、経歴、没年月日等を記載して使用される。回転式墓誌１０は、墓誌本体１２が、軸穴２１の底部２１ａに接する軸材１１の上端面１１ｂで支持されているため、軸材１１の周りに墓誌本体１２を回転させるときの摩擦抵抗が小さい。特に、軸穴２１の下方に向かって曲面状に突出した凸部２２と、軸材１１の平坦な上端面１１ｂとが接した状態で墓誌本体１２が回転するため、軸材１１と墓誌本体１２との接触面積を極力小さくして、墓誌本体１２を回転させるときの摩擦抵抗をより小さくすることができる。このため、より容易かつ円滑に墓誌本体１２を回転させることができる。
【００１８】
墓誌本体１２の下部１２ａと敷石１との間に隙間ができているため、墓誌本体１２を回転させるとき、墓誌本体１２と敷石１とがぶつかって破損するのを防ぐことができる。また、墓誌本体１２の軸穴２１の側部内壁２１ｂと軸材１１の側面１１ｃとが接しないよう、軸材１１の上端面１１ｂでバランスをとって墓誌本体１２が支持されているため、墓誌本体１２の回転により、軸材１１と墓誌本体１２とが擦れて破損するのを防ぐことができる。
【００１９】
墓誌本体１２を回転させることにより、墓誌本体１２の周囲の側面１２ｂにある戒名等を正面側から見やすくすることができる。なお、回転式墓誌１０は、敷石１に限らず、他の物を支持台として、軸材１１の下端部１１ａを固定してもよい。また、ベアリングなどの部材を使用しないため、比較的長期間にわたって故障することなく使用することができる。
【００２０】
図２に示すように、回転式墓誌１０は、支持台３１を有し、墓誌本体１２の下部１２ａと支持台３１との間に隙間をあけるよう、軸材１１が支持台３１の上に上方に伸びて立てられていてもよい。この場合、下台や敷石などに固定用の孔を開けることなく、墓地の所望の位置に設置することができる。
なお、図２および図３に示すように、墓誌本体１２は、八角柱状や円錐状などいかなる形状を成していてもよい。
【図面の簡単な説明】
【００２１】
【図１】本考案の実施の形態の回転式墓誌の（ａ）使用状態を示す正面図、（ｂ）上部を拡大した断面図である。
【図２】本考案の実施の形態の回転式墓誌の変形例を示す（ａ）斜視図、（ｂ）正面図、（ｃ）平面図である。
【図３】本考案の実施の形態の回転式墓誌の、墓誌本体の形状の変形例を示す正面図である。
【符号の説明】
【００２２】
１    敷石
２    孔
１０  回転式墓誌
１１  軸材
１２  墓誌本体
２１  軸穴
２１ａ  底部
２２  凸部
【図１】
0003146601.tif 000003
【図２】
0003146601.tif 000004
【図３】
0003146601.tif 000005